(57)【要約】【課題】  光磁気記録媒体等の記録媒体に情報が複写された場合にも、複製された光磁気記録媒体を本来の記録媒体と同様に動作させることを抑止する。【解決手段】  記録された信号の再生に再生補助領域が必要な記録媒体において、識別信号エリアの信号が記録されるすべてのセクターに対応して再生補助領域を形成せず、一部にのみ対応させて限定的に再生補助領域を形成する。他の記録媒体から、本発明による記録媒体に個体識別信号と情報信号とが複写記録された場合にも、本発明による記録媒体から再生される個体識別信号を、実際に記録されている個体識別信号と相違させることができることから、複写記録された情報信号の再生がなされない構成とすることができる。【選択図】        図１
2005310340.tif 000002
【特許請求の範囲】
【請求項１】
個体識別信号が記録される識別信号エリアと、上記個体識別信号とは異なる情報信号が記録される情報信号エリアとを有する記録媒体であって、
上記識別信号エリアにおいて、上記個体識別信号の一部のみが限定的に再生可能とされたことを特徴とする記録媒体。
【請求項２】
上記識別信号エリアの一部にのみ再生補助領域が形成され、該再生補助領域に対応する上記個体識別信号の一部のみが限定的に再生可能とされることを特徴とする請求項１に記載の記録媒体。
【請求項３】
上記記録媒体は、再生が磁壁移動検出（ＤＷＤＤ；Domain Wall Displacement Detection）方式によってなされる光磁気記録媒体であることを特徴とする請求項１または２に記載の記録媒体。
【請求項４】
上記記録媒体は、再生が磁壁移動検出方式によってなされる光磁気記録媒体であり、
上記再生補助領域が、上記識別信号エリアに対するアニール処理によって形成されることを特徴とする請求項２に記載の記録媒体。
【請求項５】
上記アニール処理によって形成された上記再生補助領域に対応する上記一部の個体識別信号の再生においては、各個体識別信号によってデジタル信号の値が定められ、上記一部の個体識別信号以外の個体識別信号の再生においては、予めなされた選定によってデジタル信号の値が定められることを特徴とする請求項４に記載の記録媒体。
【請求項６】
上記識別信号エリア及び上記情報信号エリアの少なくとも一方が、ランド・グルーブ型の記録エリアによる信号エリアとされて成ることを特徴とする請求項１または２に記載の記録媒体。
【請求項７】
個体識別信号が記録される識別信号エリアと、上記個体識別信号とは異なる情報信号が記録される情報信号エリアとを有する記録媒体の製造方法であって、
上記識別信号エリアに、上記記録媒体の再生において上記個体識別信号を限定的に一部のみ再生可能とする再生補助領域を形成する再生補助領域の形成工程を有することを特徴とする記録媒体の製造方法。
【請求項８】
上記記録媒体は、再生が磁壁移動検出（ＤＷＤＤ；Domain Wall Displacement Detection）方式によってなされる光磁気記録媒体であることを特徴とする請求項７に記載の記録媒体の製造方法。
【請求項９】
上記記録媒体は、再生が磁壁移動検出方式によってなされる光磁気記録媒体であり、
上記再生補助領域を、上記識別信号エリアに対するアニール処理によって形成することを特徴とする請求項７に記載の記録媒体の製造方法。
【請求項１０】
上記記録媒体は、上記識別信号エリア及び上記情報信号エリアの少なくとも一方が、ランド・グルーブ型の記録エリアによる信号エリアとされて成ることを特徴とする請求項７に記載の記録媒体の製造方法。
【請求項１１】
個体識別信号が記録される識別信号エリアと、上記個体識別信号とは異なる情報信号が記録される情報信号エリアとを有し、上記識別信号エリアにおいて、上記個体識別信号の一部のみが限定的に再生可能とされる複数の記録媒体の識別方法であって、
第１の記録媒体に記録された個体識別信号と、上記第１の記録媒体の個体識別信号の再生に基づいて第２の記録媒体に記録される個体識別信号とを互いに同一とし、
上記第１の記録媒体において再生可能とされる上記個体識別信号と、上記第２の記録媒体において再生可能とされる上記個体識別信号とを互いに相違させ、
上記第１の記録媒体から再生される個体識別信号と上記第２の記録媒体から再生される個体識別信号とを相違させることにより、
上記第１の記録媒体と上記第２の記録媒体とを識別する記録媒体の識別方法。
【請求項１２】
上記第２の記録媒体において、上記識別信号エリアの一部にのみ再生補助領域を形成し、該再生補助領域に対応する上記個体識別信号の一部のみを限定的に再生可能とすることを特徴とする請求項１１に記載の記録媒体の識別方法。
【請求項１３】
上記第１及び第２の記録媒体は、磁壁移動検出（ＤＷＤＤ；Domain Wall Displacement Detection）方式によって再生がなされる光磁気記録媒体であることを特徴とする請求項１１または１２に記載の記録媒体の識別方法。
【請求項１４】
上記第１及び第２の記録媒体は、磁壁移動検出方式によって再生がなされる光磁気記録媒体であり、
上記再生補助領域を、上記識別信号エリアに対するアニール処理によって形成することを特徴とする請求項１３に記載の記録媒体の識別方法。
【請求項１５】
上記アニール処理によって形成した上記再生補助領域に対応する上記一部の個体識別信号の再生においては、各個体識別信号によってデジタル信号の値を得、上記一部の個体識別信号以外の個体識別信号の再生においては、予めなされた選定によってデジタル信号の値を得ることを特徴とする請求項１４に記載の記録媒体の識別方法。
【請求項１６】
識別信号エリア及び上記情報信号エリアの少なくとも一方が、ランド・グルーブ型の記録エリアによる信号エリアとされて成ることを特徴とする請求項１１または１２に記載の記録媒体の識別方法。
【発明の詳細な説明】
【技術分野】
【０００１】
本発明は、例えば光磁気記録媒体等に適用する、記録媒体、記録媒体の製造方法、及び記録媒体の識別方法に関する。
【背景技術】
【０００２】
従来より、パーソナルコンピュータ（ＰＣ；Personal Computer）等で利用される記録媒体として、再生専用型の記録媒体が広く用いられている。
これらの再生専用型記録媒体には、例えばＰＣで実行するプログラムや映像情報等の情報が記録され、今日では、ＰＣの普及とともに、オフィスだけでなく家庭においても用いられるようになっている。
【０００３】
また、近年、光記録媒体、光磁気記録媒体、磁気記録媒体等の、追記型或いは書き換え型の記録媒体が開発され、広く用いられている。
これらの記録媒体は、ユーザーが自由に情報を記録できるのみならず、従来の記録媒体に比して記録密度が高いなどの優れた特性を有することから、音楽情報や映像情報等の、大容量を必要とする情報を記録することができる。
【０００４】
例えば、磁壁移動検出（ＤＷＤＤ；Domain Wall Displacement Detection）方式によって再生がなされる光磁気記録媒体は、記録密度の高い書き換え型記録媒体であることから注目されている（例えば特許文献１）。
【０００５】
このＤＷＤＤ方式による光磁気記録媒体は、図６に要部の拡大断面図を示すように、少なくとも、再生層（移動層）１０３ａと、切断層（制御層）１０３ｃと、記録層１０３ｄとからなる複数の磁性層による光磁気記録構成層１０３を有し、図７に概略断面図を示すように、光磁気記録構成層１０３がランド１０２ｂとグルーブ１０２ｃとによる凹凸面１０２ａに沿って形成されたランド・グルーブ記録型の記録エリアによる構成とすることができる。
【０００６】
ＤＷＤＤ方式は、光磁気記録媒体の再生時に、上述の移動層の温度が制御層のキュリー温度以上となった領域の磁壁が移動することによって、信号が記録された磁区の実効的な大きさを拡大し、再生キャリア信号を大として得る光磁気再生方式であり、再生光の光学的な限界分解能以下の微小記録磁区からも大きな信号が得られる。
【０００７】
このＤＷＤＤ方式による再生においては、例えば図８に概略上面図を示す円盤状の光磁気記録媒体において、同心円状もしくは螺旋状に形成される記録エリアにおける上述の磁壁移動を阻害する、円盤の半径方向に隣り合うトラック間に存在する磁気的な結合を解消或いは低減することが必要となる。
これに対し、隣り合うトラック間すなわち非アニール境界壁面１０２ｄにレーザー光を走査照射して磁性層の特性を熱的に変化させるアニール処理を行ってアニール部すなわち再生補助領域１０７として、磁気的な結合を解消或いは低減する方法が開示されている。
【０００８】
この光磁気記録媒体に代表される追記型或いは書き換え型の記録媒体や、上述の再生専用型の記録媒体は、記録及び再生の方式が互いに異なる場合を含め、記録された信号については互換性を有することから、情報の複写及び記録媒体の複製を行うことが原理的には可能である。
【０００９】
しかし、再生専用型記録媒体の複製による情報の複写が著作権者の許可なく行われることは好ましいものではない。
また、追記型或いは書き換え型の記録媒体に記録された情報が必ずしも著作権等によって保護されない場合でも、情報の記録を行った本人や特定の関係者のみを対象として用いられる意図の下に情報の記録がなされることが多いことから、この意図に反して媒体を複製することが可能であることは問題を生ずる。
【００１０】
すなわち、これらの記録媒体に記録された情報が複写されることによる情報漏洩や、この情報が記録された記録媒体の複製による２次利用等は、最初に記録媒体に情報を記録した者の意図に反するのみならず、著作権上或いは機密上の理由から、甚大な被害をもたらす危険性が高い。
このために、上述の再生専用型の記録媒体には、記録媒体の不正な複製すなわち情報の複写を防止する目的で、上述の情報とは別に記録媒体を特定するための個体識別信号による識別情報が記録されている。
【００１１】
この識別情報は、例えば上述の個体識別信号によって、すなわち例えば多数のデジタル信号の記録の組み合わせによって構成され、この識別情報によって各媒体が判別されることにより、上述のプログラム等の情報が、本来記録されている記録媒体とは別の光磁気記録媒体に記録された場合には、再生がなされない設定とすることができる。
したがって、光磁気記録媒体等の記録媒体に情報が複写された場合にも、複製された光磁気記録媒体を本来の記録媒体と同様に動作させることは困難とされてきた。
【特許文献１】特開平６−２９０４６号公報
【発明の開示】
【発明が解決しようとする課題】
【００１２】
しかし、記録媒体の記録及び再生に用いられる技術や装置の発展に伴い、上述の個体識別信号による識別情報は、一般に普及しているパーソナルコンピュータ（ＰＣ；Personal Computer）等の記録／再生装置によって、プログラムや映像情報等の情報と同様に認識及び複写を行って別の記録媒体に記録することができるようになった。このため、上述した従来の保護技術によって、媒体の複製ならびに情報の複写を防ぐことは難しくなっている。
【００１３】
すなわち、上述のプログラムや映像情報等の情報の記録におけるのと同様の、信号記録の技術によるだけでは、ユーザーに利用されている情報の記録に利用する記録／再生用の汎用装置を記録媒体の複製に転用することによって、個体識別信号すなわち識別情報の複写を容易に行うことができる。したがって、従来の技術によるだけでは、上述した著作権上或いは機密上の問題を解決することはできない。
【００１４】
本発明は、記録媒体の複製による情報の複写に関する、上述の問題の解決を図るものである。
【課題を解決するための手段】
【００１５】
本発明による記録媒体は、個体識別信号が記録される識別信号エリアと、上記個体識別信号とは異なる情報信号が記録される情報信号エリアとを有する記録媒体であって、上記識別信号エリアにおいて、上記個体識別信号の一部のみが限定的に再生可能とされたことを特徴とする。
【００１６】
また、本発明は、上記記録媒体において、上記識別信号エリアの一部にのみ再生補助領域が形成され、該再生補助領域に対応する上記個体識別信号の一部のみが限定的に再生可能とされることを特徴とする。
【００１７】
また、本発明は、上記記録媒体において、上記記録媒体は、再生が磁壁移動検出（ＤＷＤＤ；Domain Wall Displacement Detection）方式によってなされる光磁気記録媒体であることを特徴とする。
【００１８】
また、本発明は、上記記録媒体において、上記記録媒体は、再生が磁壁移動検出方式によってなされる光磁気記録媒体であり、上記再生補助領域が、上記識別信号エリアに対するアニール処理によって形成されることを特徴とする。
【００１９】
また、本発明は、上記記録媒体において、上記アニール処理によって形成された上記再生補助領域に対応する上記一部の個体識別信号の再生においては、各個体識別信号によってデジタル信号の値が定められ、上記一部の個体識別信号以外の個体識別信号の再生においては、予めなされた選定によってデジタル信号の値が定められることを特徴とする。
【００２０】
また、本発明は、上記記録媒体において、上記識別信号エリア及び上記情報信号エリアの少なくとも一方が、ランド・グルーブ型の記録エリアによる信号エリアとされて成ることを特徴とする。
【００２１】
本発明による記録媒体の製造方法は、個体識別信号が記録される識別信号エリアと、上記個体識別信号とは異なる情報信号が記録される情報信号エリアとを有する記録媒体の製造方法であって、上記識別信号エリアに、上記記録媒体の再生において上記個体識別信号を限定的に一部のみ再生可能とする再生補助領域を形成する再生補助領域の形成工程を有することを特徴とする。
【００２２】
また、本発明は、上記記録媒体の製造方法において、上記記録媒体は、再生が磁壁移動検出（ＤＷＤＤ；Domain Wall Displacement Detection）方式によってなされる光磁気記録媒体であることを特徴とする。
【００２３】
また、本発明は、上記記録媒体の製造方法において、上記記録媒体は、再生が磁壁移動検出方式によってなされる光磁気記録媒体であり、上記再生補助領域を、上記識別信号エリアに対するアニール処理によって形成することを特徴とする。
【００２４】
また、本発明は、上記記録媒体の製造方法において、上記記録媒体は、上記識別信号エリア及び上記情報信号エリアの少なくとも一方が、ランド・グルーブ型の記録エリアによる信号エリアとされて成ることを特徴とする。
【００２５】
本発明による記録媒体の識別方法は、個体識別信号が記録される識別信号エリアと、上記個体識別信号とは異なる情報信号が記録される情報信号エリアとを有し、上記識別信号エリアにおいて、上記個体識別信号の一部のみが限定的に再生可能とされる複数の記録媒体の識別方法であって、第１の記録媒体に記録された個体識別信号と、上記第１の記録媒体の個体識別信号の再生に基づいて第２の記録媒体に記録される個体識別信号とを互いに同一とし、上記第１の記録媒体において再生可能とされる上記個体識別信号と、上記第２の記録媒体において再生可能とされる上記個体識別信号とを互いに相違させ、上記第１の記録媒体から再生される個体識別信号と上記第２の記録媒体から再生される個体識別信号とを相違させることにより、上記第１の記録媒体と上記第２の記録媒体とを識別することを特徴とする。
【００２６】
また、本発明は、上記記録媒体の識別方法において、上記第２の記録媒体において、上記識別信号エリアの一部にのみ再生補助領域を形成し、該再生補助領域に対応する上記個体識別信号の一部のみを限定的に再生可能とすることを特徴とする。
【００２７】
また、本発明は、上記記録媒体の識別方法において、上記第１及び第２の記録媒体は、磁壁移動検出（ＤＷＤＤ；Domain Wall Displacement Detection）方式によって再生がなされる光磁気記録媒体であることを特徴とする。
【００２８】
また、本発明は、上記記録媒体の識別方法において、上記第１及び第２の記録媒体は、磁壁移動検出方式によって再生がなされる光磁気記録媒体であり、上記再生補助領域を、上記識別信号エリアに対するアニール処理によって形成することを特徴とする。
【００２９】
また、本発明は、上記記録媒体の識別方法において、上記アニール処理によって形成した上記再生補助領域に対応する上記一部の個体識別信号の再生においては、各個体識別信号によってデジタル信号の値を得、上記一部の個体識別信号以外の個体識別信号の再生においては、予めなされた選定によってデジタル信号の値を得ることを特徴とする。
【００３０】
また、本発明は、上記記録媒体の識別方法において、識別信号エリア及び上記情報信号エリアの少なくとも一方が、ランド・グルーブ型の記録エリアによる信号エリアとされて成ることを特徴とする。
【発明の効果】
【００３１】
本発明による記録媒体によれば、識別信号エリアに個体識別信号が記録された場合に、個体識別信号の一部のみが限定的に再生可能とされる。
したがって、例えば本発明による記録媒体に、他の記録媒体から個体識別信号と情報信号とが複写された場合にも、本発明による記録媒体の再生においては、複写された個体識別信号の全てが再生されず、異なる個体識別信号が再生されることから、例えば予め複写元の情報信号に個体識別情報との整合性を必要とする情報を含めておくことによって、個体識別信号の不整合に基づいて複写先の情報信号の再生を抑止することができ、上述した著作権ならびに機密上の問題の解決が図られる。
【００３２】
また、本発明による記録媒体の製造方法によれば、個体識別信号のうち、限定的に再生可能とされる一部を、記録媒体の製造過程で行う処理によって形成でき、かつＰＣ等の汎用記録／再生装置によって形成することのできない再生補助領域、例えば光磁気記録媒体の製造におけるアニール処理によってのみ識別信号エリアに形成することができる再生補助領域によって規定することから、特段の手間をかけることなく、媒体の複製すなわち情報の複写の防止が可能な記録媒体を製造することができる。
【００３３】
また、本発明による記録媒体の識別方法によれば、上述の記録媒体の製造方法によって製造された記録媒体を含む複数の記録媒体において、識別信号エリアに記録された個体識別信号が互いに同一である場合にも、各記録媒体における個体識別信号が、互いに異なる一部のみ限定的に再生可能とされることから、各記録媒体から再生される個体識別信号を互いに相違させることができ、上述の個体識別信号と情報信号とが複写された記録媒体が複写元の記録媒体と異なる記録媒体であることを識別できるため、情報信号が複写された記録媒体の再生を抑止することができるなど、本発明構成によれば、重要かつ多くの効果をもたらすことができるものである。
【発明を実施するための最良の形態】
【００３４】
以下、図面を参照して本発明の実施の形態を、光磁気記録媒体を例として説明するが、本発明は、この実施の形態例に限られるものではない。
【００３５】
まず、本発明による記録媒体の実施の形態例を、図１及び図２を参照して説明する。
【００３６】
［記録媒体の実施の形態例］
この実施の形態例において、本発明による記録媒体１は、図１Ａに一例の概略断面図を示すように、ランド・グルーブ型の記録エリアを有し、磁壁移動検出（ＤＷＤＤ）方式によって再生がなされる円盤状の光磁気記録媒体とする。
【００３７】
この実施の形態例において、記録媒体１は、光磁気記録構成層３のほか、熱拡散特性やエンハンス効果及び物理的保護などの要求によって、誘電体層４及び６ならびに保護層５を有する構成とすることができる。また、光磁気記録構成層３は、上述した再生層、制御層、記録層のほか、これらと共に記録を補助するなどの目的に応じた磁性層が積層された構成とすることができる。
【００３８】
この実施の形態例においては、記録媒体１の基体２のランド２ｂ及びグルーブ２ｃによる凹凸面２ａが形成された、ランド２ｂとグルーブ２ｃとに記録がなされるランド・グルーブ型の記録エリアが形成される。そして、記録媒体１の再生時に各記録エリアの光磁気記録構成層３を構成する磁性層において磁壁移動が滑らかに進行するように、後述するアニール処理によって、ランド及びグルーブによる記録エリア間すなわち円盤状記録媒体におけるトラック間の非アニール境界壁面２ｄに、例えば面内磁化膜化されたアニール部７が再生補助領域として形成される。
【００３９】
従来の記録媒体では、識別信号エリアと情報信号エリアの全域とに渡って、非アニール境界壁面２ｄにトラック長方向に連続的にアニール処理がなされてきたが、本発明による記録媒体においては、識別信号エリアにおいて、図１Ｂに概略断面図を示すようなアニールがなされない非アニール境界壁面２ｄを選択的に残し、アニール処理によって形成された再生補助領域７が、識別信号エリア内の一部のみに限定的に、つまり非連続に形成された構成とする。
【００４０】
上述した、再生補助領域が識別信号エリアの再生特性に影響する非アニール境界壁面２ｄの一部にのみ限定的に形成される記録媒体によれば、図２に示すように、トラック長方向に延在する、一定の数のセクターからなる記録単位であるクラスターによる識別信号エリアを、アニールがなされた再生補助領域７に対応するセクターと、再生補助領域とされない非アニール境界壁面２ｄに対応するセクターとによって構成することができる。
【００４１】
磁壁移動検出方式によって再生がなされる光磁気記録媒体では、アニール処理によって形成される再生補助領域７に対応するセクターに関してのみ、記録された信号の再生が可能とされる。
したがって、アニール処理がなされずに、再生補助領域とされなかった非アニール境界壁面２ｄに対応するセクターは、記録媒体１の再生において磁壁の移動が円滑になされないことから、信号が記録されていた場合にも、この信号から充分な出力を得ることができないために、信号の再生はなされない。
【００４２】
すなわち、例えば識別信号エリアを構成する各セクターにデジタル信号例えば２Ｔ信号を記録した場合、記録媒体１の再生において再生信号に直接に反映されるのは、この実施の形態例ではアニール処理によって形成された再生補助領域に対応するセクターに記録された信号のみであり、再生補助領域とされなかった非アニール境界壁面に対応するセクターからは再生信号が得られない。
【００４３】
したがって、例えば再生可能とされるセクター以外の、直接に再生信号が得られないセクターに関しては、別途例えばトラッキング等によるアドレス管理を行うことによってセクターの特定を行うとともに、例えば信号がデジタル信号による場合は、記録媒体の再生装置などの側において、再生信号が得られなかったセクターを予め例えば０に選定する設定を行うことによって、本発明による第２の記録媒体１の識別信号エリアから再生される個体識別信号を、複写元の第１の記録媒体１１の識別信号エリアから再生される個体識別信号と相違させることができる。
【００４４】
現在普及している光磁気記録媒体の１つであるＭＤ（Mini Disc）の場合には、１６のセクターによってクラスターと呼称される記録単位が構成されている。この構成において、本発明による記録媒体の各セクターにデジタル信号が記録される場合、記録信号値が１であってかつアニール部によって再生が可能とされているセクターから得られる再生信号値１と、記録信号値が０であるか或いは対応する非アニール境界壁面がアニールされなかったために再生可能とされていないセクターから得られる再生信号値０との組み合わせは、１クラスターを識別信号エリアとして用いるだけで２１６通り存在することになる。
【００４５】
この例に示すように、本発明による記録媒体によれば、僅かな容量を識別信号エリアとして使用するだけで、同一の個体識別信号を有する記録媒体が情報の複写に使用される可能性を充分に低減することができ、記録媒体の生産量が増加した場合にも、個体識別信号の組み合わせを増やすだけで対応できる。
【００４６】
また、アニール処理のような、記録媒体の製造時に例えば初期化として行われる処理によって再生補助領域が形成される場合、記録媒体の出荷後に変更を行うことは極めて困難であり、従来技術のよる場合のように汎用型の記録再生装置例えばパーソナルコンピュータ（ＰＣ）によって記録媒体の複製及び情報の複写がなされることを強力に抑止できると考えられる。
【００４７】
したがって、本発明による記録媒体によれば、記録媒体の識別方法の実施の形態例でも後述するように、記録媒体の複製による情報漏洩及び２次利用の回避が図られる。
【００４８】
続いて、本発明による記録媒体の識別方法の実施の形態例を、図３を参照して説明する。
【００４９】
［記録媒体の識別方法の実施の形態例］
この実施の形態例において、少なくとも記録媒体１２は、上述の記録媒体の実施の形態例で説明した、ランド・グルーブ型の記録エリアを有し、磁壁移動検出（ＤＷＤＤ）方式によって再生がなされる円盤状の光磁気記録媒体とする。
【００５０】
磁壁移動検出方式によって再生がなされる光磁気記録媒体では、上述したように、セクターに信号が記録されていても、例えばアニール処理によって形成される再生補助領域に対応するセクター以外のセクターは信号の再生がなされない。
したがって、上述のデジタル信号例えば２Ｔ信号をセクターに記録した記録媒体であっても、再生補助領域に対応するセクターに記録されている一部の信号のみが再生可能な信号とされる。
【００５１】
すなわち、図３に示すように、例えば第１すなわち複写元の記録媒体１１の識別信号エリア１１ａに記録されたデジタル信号による個体識別信号を再生し、本発明による記録媒体である第２すなわち複写先の記録媒体に複写記録すると、記録された信号自体は第１の記録媒体１１における信号と同一とされるが、この第２の記録媒体において再生可能とされる個体識別信号は、アニール処理によって再生補助領域７が形成された一部のセクター、この例ではセクター６、７、９、１２、１３、１５、１８、１９、２０においてのみ限定的に再生可能とされ、これらのセクターに記録された信号値自体が、再生される信号値となる。
【００５２】
そして、例えば再生可能とされるセクター以外の、直接に再生信号が得られないセクターに関しては、別途例えばトラッキング等によるアドレス管理を行うことによってセクターの特定を行うとともに、例えば信号がデジタル信号による場合は、例えば記録媒体の再生装置側などにおいて、再生信号が得られなかったセクターの信号値を０に選定する設定を予め行うことによって、本発明による第２の記録媒体１の識別信号エリアから再生される個体識別信号を、第１の記録媒体１１の識別信号エリアから再生される個体識別信号と相違させることができる。
【００５３】
したがって、特に、信号が記録されていない状態で市販される、複写先の記録媒体となるブランクの記録媒体を、本発明による記録媒体によって構成することによって、第１の記録媒体１１に記録された情報信号と識別信号とが、ブランクの記録媒体すなわち第２の本発明による記録媒体１２に複写記録して識別信号エリアと情報信号エリアとが形成された場合にも、これを再生する装置において第１の記録媒体１１と第２の記録媒体１２とを識別することができ、この識別に基づいて複製された第２の記録媒体１２に記録された情報信号の再生を抑止することができる。
【００５４】
したがって、本発明による記録媒体の識別方法によれば、記録媒体の複製による情報漏洩及び２次利用の回避を図ることができるものである。
【００５５】
続いて、本発明による記録媒体の製造方法の実施の形態例を、光磁気記録媒体の製造方法を例として、図４及び図５を参照して、製造装置の一例と共に説明する。
【００５６】
［記録媒体の製造方法の実施の形態例］
この実施の形態例において、記録媒体１は、上述の記録媒体の実施の形態例で説明した、ランド・グルーブ型の記録エリアを有し、磁壁移動検出（ＤＷＤＤ）方式によって再生がなされる円盤状の光磁気記録媒体とする。
【００５７】
この実施の形態例において、本発明による記録媒体の製造方法は、例えば図４に概略構成図を示すような製造装置２１によって行うものである。すなわち、製造装置２１は、少なくとも、記録媒体１の所定の位置に再生補助領域を形成する再生補助領域の形成工程を行う装置である。
【００５８】
この実施の形態例では、再生補助領域７が図１Ａで示したアニール部であることから、製造装置２１は、アニール処理のためのレーザ光を出射するレーザ光源２２と、レンズ２３と、グレーティング２４と、ビームスプリッタ２５と、対物レンズ２６と、レンズ２７と、ディテクター２８と、スピンドルモータ２９とを有して成る。
【００５９】
スピンドルモータ２９によって記録媒体１を回転させた状態で、レーザ光源２２からアニール処理用のレーザ光を出射し、レンズ２３でコリメートさせた後、必要に応じてグレーティング２４で、例えば記録媒体１のトラッキング及びアドレス管理を行うためのトラッキング光を分光形成した後、ビームスプリッタ２５及び対物レンズ２６を経て記録媒体１の所定の位置、例えば再生可能とする識別信号エリア内の個体識別信号が記録されたセクターに対応する非アニール境界壁面２ｄに導き、所定の境界壁面２ｄの一部のみを限定的にアニール部とする。
【００６０】
記録媒体１の所定の位置をアニールするアニール光は、記録媒体１の表面で反射され、対物レンズ２６、ビームスプリッタ２５、レンズ２７を経てディテクター２８で検知されて、アニールパワーの確認及びアニール処理の管理がなされる。
また、例えばグレーティング２４でアニール光から分光した、アニール光のトラッキングを行うトラッキング光を用いて、アニール位置すなわちアニール処理によって再生補助領域が形成されたアドレス位置の検出及び管理を行うことができる。
【００６１】
アニール位置の管理を行うことによって、図５に製造装置の要部の概略図を示すように、記録媒体１の所望の位置、特に識別信号エリアを構成する非アニール境界壁面２ｄのうち所望の位置にのみ、アニール光の照射を行ってアニール部すなわち再生補助領域７を形成することができる。
【００６２】
このように、本発明による記録媒体の製造方法によれば、識別信号エリアのうち、所望の一部のみを限定的に再生可能とする再生補助領域の形成工程を、特段の手間をかけることなく行うことができ、記録媒体１を製造することができるものである。
なお、実際の生産における多数の記録媒体に対する上述の再生補助領域の形成は、各記録媒体の各セクターに対して意図的に設計することもできるし、プログラム等によってランダムかつ互いに相違するように形成することもできる。
【００６３】
以上、本発明による記録媒体、記録媒体の製造方法及び記録媒体の識別方法について説明したように、本発明によれば、識別信号エリアに個体識別信号が記録された場合に、個体識別信号の一部のみが限定的に再生可能とされた記録媒体において、複写記録された情報信号の再生を特段の手間をかけることなく抑止することができ、著作権ならびに機密上の問題の解決が図られるものである。
【００６４】
なお、本発明による記録媒体、記録媒体の製造方法及び記録媒体の識別方法は、この実施の形態に限られるものでないことは言うまでもない。
【００６５】
例えば、上述の記録媒体の実施の形態例ではランド及びグルーブを共に記録エリアとして、これら間の非アニール境界壁面の一部に限定的に再生補助領域が形成される構成としたが、本発明による記録媒体は、ランド及びグルーブの一方のみを記録エリアとし、他方を再生補助領域の形成部とする構成とすることもできるし、ランド・グルーブ記録型以外の記録型による、光磁気記録以外の方式による記録媒体にも適用できるものである。
【００６６】
また、上述の記録媒体の識別方法の実施の形態例では、第１の記録媒体を本発明によらない記録媒体としたが、図２に示したような本発明による再生補助領域を有する記録媒体によって、上述の第１及び第２の記録媒体の両方を構成し、再生補助領域の形成位置を意図的もしくはランダムに相違させることによっても、上述した記録媒体の識別方法を行うことができる。
【００６７】
また、上述の実施の形態では、円盤状の記録媒体にアニール処理を行って再生補助領域を形成する例を説明したが、本発明はこれに限られず、円盤型以外の形状を有する記録媒体にも適用できるし、アニール処理以外の手法によって再生補助領域を形成することもできるなど、本発明による記録媒体、記録媒体の製造方法、記録媒体の識別方法は、種々の変形及び変更をなされ得るものである。
【図面の簡単な説明】
【００６８】
【図１】図１Ａ及び図１Ｂは、それぞれ、本発明による記録媒体の識別信号エリアのうち、再生補助領域が形成された一部の概略断面図と、再生補助領域が形成されなかった他部の概略断面図である。
【図２】本発明による記録媒体の識別信号エリアにおける、再生補助領域の形成態様の一例を示す模式図である。
【図３】本発明による記録媒体の識別方法の説明に供する、第１の記録媒体における信号記録と、第２の本発明による記録媒体における信号記録ならびに再生補助領域の形成の一例を示す模式図である。
【図４】本発明による記録媒体の製造方法の説明に供する、記録媒体の製造装置の一例を示す概略構成図である。
【図５】本発明による記録媒体の製造方法の説明に供する、再生補助領域の形成工程の一例を示す記録媒体の製造装置の要部の概略図である。
【図６】従来の記録媒体の例としての、光磁気記録媒体の要部の拡大断面図である。
【図７】従来の記録媒体の例としての、光磁気記録媒体の概略断面図である。
【図８】円盤型記録媒体の例としての、ディスク型光磁気記録媒体の概略上面図である。
【符号の説明】
【００６９】
１・・・記録媒体（光磁気記録媒体）、１ａ・・・識別信号エリア、２・・・基体、２ａ・・・凹凸面、２ｂ・・・ランド、２ｃ・・・グルーブ、２ｄ・・・非アニール境界壁面、３・・・光磁気記録構成層、４・・・誘電体層、５・・・保護層、６・・・誘電体層、７・・・再生補助領域（アニール部）、８・・・記録エリア、１１・・・第１の記録媒体、１２・・・第２の記録媒体、２１・・・記録媒体の製造装置、２２・・・レーザ光源、２３・・・レンズ、２４・・・グレーティング、２５・・・ビームスプリッタ、２６・・・対物レンズ、２７・・・レンズ、２８・・・ディテクター、２９・・・スピンドルモータ、１０１・・・従来の記録媒体（従来の光磁気記録媒体）、１０２・・・基体、１０２ａ・・・凹凸面、１０２ｂ・・・ランド、１０２ｃ・・・グルーブ、１０３・・・光磁気記録構成層、１０３ａ・・・再生層、１０３ｃ・・・切断層、１０３ｄ・・・記録層、１０４・・・誘電体層、１０５・・・保護層、１０６・・・誘電体層、１０１ａ・・・識別信号エリア、１０１ｂ・・・情報信号エリア、１０７・・・再生補助領域
【図１】
2005310340.tif 000003
【図２】
2005310340.tif 000004
【図３】
2005310340.tif 000005
【図４】
2005310340.tif 000006
【図５】
2005310340.tif 000007
【図６】
2005310340.tif 000008
【図７】
2005310340.tif 000009
【図８】
2005310340.tif 000010